(57)【要約】【課題】発信元表示を見易くしたファクシミリ装置を提供する。【解決手段】ＲＡＭ１１のＦＡＴ１１ａに登録されている画像サイズ、記録方向を読み出し、その画像サイズ、記録方向に応じたスムージング禁止範囲を設定し、画像メモリ１２から読み出した画像データをプリンタ用ＣＯＤＥＣ１３により復号し、解像度変換回路１４により画像データの解像度変換を開始する。解像度変換に際しては、選択回路１４ｂは、スムージング範囲制御回路１４ｃからのスムージングＯＦＦ又はＯＮに基づき（スムージング禁止範囲か判定し）、スムージングＯＦＦであるときは、スムージング処理を施さない出力を選択し、スムージングＯＮのときは、スムージング回路１４ａの出力を選択する。そして、選択された出力（画像データ）のビットイメージをページメモリ１６に展開し、選択された画像データをプリンタ１８に出力する。【選択図】　　　図２
2004015608.tif 000002
【特許請求の範囲】
【請求項１】
画像データを受信するファクシミリ受信手段と、ファクシミリ受信手段で受信された画像データを解像度変換しスムージングする解像度変換手段と、解像度変換手段で変換された画像データを用紙に記録する画像記録手段とを備えたファクシミリ装置において、
前記画像記録手段で記録すべき画像データの所定領域については、解像度変換手段によるスムージングを禁止するスムージング禁止手段を備えたことを特徴とするファクシミリ装置。
【請求項２】
前記スムージング禁止手段は、画像の用紙への記録方向に応じてスムージングを禁止する領域を変更することを特徴とする請求項１記載のファクシミリ装置。
【請求項３】
前記スムージング禁止手段は、水平同期信号をカウントするカウンタと、ビデオクロックをカウントするカウンタとを含んでいることを特徴とする請求項１又は請求項２記載のファクシミリ装置。
【発明の詳細な説明】
【０００１】
【発明の属する技術分野】
この発明は、発信元表示を見易くしたファクシミリ装置に関する。
【０００２】
【従来の技術】
ファクシミリ装置で画像を送信する際には、送り元の名称、電話番号（又はＦＡＸ番号）、送信日時を文字画像データとして、原稿画像データに付加して１ページの画像データとしている。その文字画像データは、発信元表示又はＴＴＩと呼ばれ、通常は用紙の先頭（上辺に沿った部分）に付加されることが多い。受信側では、この画像データをプリントするわけであるが、近年はプリンタの解像度が上がっているため、ファクシミリ受信画像の解像度よりプリンタの解像度が高くなっている。このため、ファクシミリ受信画像の画像データを解像度変換してからプリントすることが行われている。
【０００３】
【発明が解決しようとする課題】
ところで、上記解像度変換に際しては、単純に解像度変換すると、プリント後の画像において斜線等の部分で輪郭のギザギザが目立つようになるので、スムージング処理も併せて行っている。
【０００４】
しかしながら、上記発信元表示の部分は、メーカーの使用しているフォントにもよるが、スムージングをかけると却って文字が見難くなる場合がある。
【０００５】
この発明は、そのような問題点に着目してなされたものであって、発信元表示を見易くしたファクシミリ装置を提供することを目的としている。
【０００６】
【課題を解決するための手段】
前記目的を達成するために、この発明のファクシミリ装置は、画像データを受信するファクシミリ受信手段と、ファクシミリ受信手段で受信された画像データを解像度変換しスムージングする解像度変換手段と、解像度変換手段で変換された画像データを用紙に記録する画像記録手段とを備えたものにおいて、前記画像記録手段で記録すべき画像データの所定領域については、解像度変換手段によるスムージングを禁止するスムージング禁止手段を備えたことを特徴とする。
【０００７】
このファクシミリ装置では、画像記録手段で記録すべき画像データの所定領域、すなわち発信元表示部分については、スムージング処理が施されないので、用紙に記録された画像中で発信元表示を見易くすることができる。
【０００８】
上記構成において、スムージング禁止手段が画像の用紙への記録方向（用紙の向き）に応じてスムージングを禁止する領域を変更することとすれば、例えばＡ４縦で受信し、画像記録手段（プリンタ）には用紙がＡ４横で装填されている場合には、画像が９０°回転してプリントされるが、その場合でも、発信元表示の位置に応じてスムージングを禁止する領域を設定することができる。
【０００９】
また、スムージング禁止手段が、水平同期信号をカウントするカウンタと、ビデオクロックをカウントするカウンタとを含んでいることとすれば、スムージング禁止手段をカウンタで構成できるので、簡単な回路での実現も容易である。
【００１０】
【発明の実施の形態】
以下、実施の形態により、この発明を更に詳細に説明する。
【００１１】
実施形態に係るファクシミリ装置の構成例を示すブロック図を図１（一部）及び図２（残部）に示す。
【００１２】
図１において、ＭＰＵ（中央処理装置）１は、当該装置全体を制御する機能を有する。
【００１３】
このＭＰＵ１には、ＮＣＵ（Ｎｅｔｗｏｒｋ　Ｃｏｎｔｒｏｌ　Ｕｎｉｔ）２、モデム３が接続されている。ＮＣＵ２は、ＭＰＵ１により制御されて、回線Ｌと当該装置との接続を制御すると共に、通信相手の電話番号に応じたダイヤルパルスを送出する機能及び着信を検出する機能を有する。なお、回線Ｌは一般公衆電話回線網（ＰＳＴＮ）に接続されている。モデム３は、送受信データの変復調、具体的には本来はデジタル信号である送信データをアナログの音声信号に変調してＮＣＵ２を介して回線Ｌに送出し、また逆に回線ＬからＮＣＵ２を介して受信したアナログの音声信号をデジタル信号に復調する。ここでは、ＮＣＵ２及びモデム３でファクシミリ受信手段が構成される。
【００１４】
また、ＭＰＵ１には、スキャナ画像処理回路４、読取／通信用ＣＯＤＥＣ（符号化・復号器：Ｃｏｄｅｒ　ａｎｄ　Ｄｅｃｏｄｅｒ）６、表示部７、キーパッド８、ＬＡＮ　Ｉ／Ｆ（構内情報網：Ｌｏｃａｌ　Ａｒｅａ　Ｎｅｔｗｏｒｋ　Ｉｎｔｅｒｆａｃｅ）９、ＲＯＭ１０、ＲＡＭ１１、画像メモリ１２、プリンタ用ＣＯＤＥＣ１３、解像度変換回路１４、メモリ管理１５が接続されている。
【００１５】
スキャナ画像処理回路４は、例えばＣＣＤ５が読み取った原稿画像の信号を処理して、１枚の静止画にする。読取／通信用ＣＯＤＥＣ６は、画像メモリ１２に記憶された送信すべき画像データを符号化し、また受信した画像データを復号して画像メモリ１２に記憶する。表示部７は、キーパッド８の操作により入力された電話番号やＦＡＸ番号、プリンタ１８のトナー残量等の種々の情報をソフトコピー出力して表示する。この表示部７としては、ＣＲＴディスプレイやＬＣＤ（液晶表示装置）が用いられる。
【００１６】
キーパッド８は、電話番号、ＦＡＸ番号を入力するためのテンキー、相手先の電話番号をワンタッチで呼び出すワンタッチキー、ＦＡＸの開始等を指示するスタートキー等を有する。ＬＡＮ　Ｉ／Ｆ９は、クライアントＰＣ（パーソナルコンピュータ）２１やサーバ２２が接続されたＬＡＮ２０に接続するためのものである。ここでは、更にＬＡＮ２０は、ルータ２６を介してインターネット２５に接続されている。
【００１７】
ＲＯＭ１０は、この装置全体の動作を制御するためのプログラム等を予め記憶してある。ＲＡＭ１１は、ＭＰＵ１による制御に必要なデータ及び制御動作時に一時記憶が必要なデータ等を記憶すると共に、画像データの画像サイズ（Ａ３，Ａ４，Ｂ４，Ｂ５等）、記録方向（用紙の向き：縦向き、横向き）を登録するためのＦＡＴ（Ｆｉｌｅ　Ａｌｌｏｃａｔｉｏｎ　Ｔａｂｌｅ）１１ａを有する。
【００１８】
画像メモリ１２は、ＣＣＤ５が読み取ってスキャナ画像処理回路４で画像変換された画像データを圧縮状態で記憶し、また外部から回線Ｌとモデム３又はＬＡＮ　Ｉ／Ｆ９を介して受信した画像データも圧縮状態で記憶する。プリンタ用ＣＯＤＥＣ１３は、画像メモリ１２に記憶された圧縮状態の符号化画像データを復号する。
【００１９】
解像度変換手段としての解像度変換回路１４は、ＮＣＵ２及びモデム３を介して受信された画像データを解像度変換すると共にスムージングするもので、ドット・フォントを利用した文字などに出る輪郭のギザギザを補正して輪郭を滑らかにするスムージング回路１４ａと、スムージング回路１４ａの出力又はスムージング処理を施さない出力のいずれかを選択する選択回路１４ｂと、プリンタ１８でプリントすべき画像データの所定領域（発信元表示部分）については、解像度変換回路１４によるスムージングを禁止するスムージング範囲制御回路（スムージング禁止手段）１４ｃとで構成される。後述するように、選択回路１４ｂは、スムージング範囲制御回路１４ｃからの出力に基づいて、スムージング回路１４ａの出力か、スムージング処理を施さない出力かのいずれかを選択する。
【００２０】
メモリ管理１５は、解像度変換回路１４の選択回路１４ｂで選択された出力（画像データ）を、ページメモリ１６に記憶された画像データのビットイメージを介して、プリンタＩ／Ｆ１７に出力する機能を有する。
【００２１】
画像記録手段としてのプリンタ１８は、プリンタＩ／Ｆ１７を介して接続され、受信画像データ、ＣＣＤ５が読み取った画像データ、又は画像メモリ１２に記憶された画像データを用紙に印字することにより記録してハードコピー出力を行う。
【００２２】
上記構成において、解像度変換回路１４の詳細な構成例のブロック図を図３に示す。ビデオ信号は、スムージング回路１４ａによりスムージング処理が施される出力と、スムージング処理が施されない出力とに分かれて選択回路１４ｂに入力される。スムージング範囲制御回路１４ｃは、水平同期信号をカウントするカウンタと、水平同期信号に係るスムージングＯＦＦ信号、ＯＮ信号をそれぞれ受ける比較器（ＣＯＭＰＡＲＥ）と、ビデオクロック信号（垂直同期信号）をカウントするカウンタと、ビデオクロック信号に係るスムージングＯＦＦ信号、ＯＮ信号をそれぞれ受ける比較器（ＣＯＭＰＡＲＥ）とを備える。
【００２３】
一方、プリンタ１８でプリントすべき画像データの所定領域（発信元表示部分）は、図４に示すように、各メーカーや機種により様々である。図４の（ａ）では、用紙３０が縦向きの場合であり、その用紙３０の上部（左図）、中央部（真中図）、下部（右図）にそれぞれ発信元表示（ＴＴＩ）がプリントされる。図４の（ｂ）では、用紙３０が横向きの場合であり、その用紙３０の左部（左図）、右部（右図）にそれぞれＴＴＩがプリントされる。
【００２４】
このように、ＴＴＩがプリントされる用紙３０の部分を想定して、例えば図５のように、用紙３０の斜線部分３１をスムージング禁止領域に設定する。それ以外の部分３２は、ＴＴＩ以外の画像データをプリントする領域であり、スムージング処理を施す領域となる。なお、図５では、斜線部分３１が広幅に示されているが、これは便宜上のものであり、実際にはもっと狭幅である。
【００２５】
ここで、解像度変換回路１４の動作について説明すると、図５に示すようにスムージング禁止領域３１が設定されているとすると、スムージング禁止領域３１を指定する水平同期信号のカウントとビデオクロック信号のカンウトが予め設定されている。勿論、各画像サイズ及び記録方向に基づいて、それぞれスムージング禁止領域３１が予め設定されている。
【００２６】
水平同期信号及びビデオクロック信号が順に走査されていくと共にカウンタによりカウントされ、それぞれ設定値に達するまではスムージングをＯＦＦとし、設定値に達するとスムージングをＯＮにする。そして、スムージング範囲制御回路１４ｃは、水平同期信号及びビデオクロック信号に係るスムージングが両方ともＯＦＦ又はいずれか一方がＯＦＦのときは、その合成としてスムージングＯＦＦを出力し、両信号に係るスムージングが両方ともＯＮのときにのみ、スムージングＯＮを出力する。選択回路１４ｂは、そのスムージング範囲制御回路１４ｃからの信号を受けて、スムージングＯＦＦのときは、スムージング処理を施さないビデオ信号を選択し、スムージングＯＮのときは、スムージング回路１４ａを通過したビデオ信号を選択する。
【００２７】
次に、このファクシミリ装置において、ページメモリ１６へのビットイメージの展開動作について、図６のフロー図を参照して説明する。まず、ステップＳＴ１において、ＲＡＭ１１のＦＡＴ１１ａに未プリントのページが登録されているか判定し、登録されていないときは待機する。但し、この待機は便宜上のものであり、実際はこの処理は、全体動作の中のサブルーチンにあり、例えば一定周期で行われるものであるから、ＮＯのときはリターンする。
【００２８】
未プリントのページが登録されているときは、ステップＳＴ２において、プリンタ１８を起動し、ステップＳＴ３において、ＦＡＴ１１ａより画像サイズ（Ａ３，Ａ４，Ｂ４，Ｂ５等）、記録方向（用紙の向き：縦向き、横向き）を読み出す。そして、ステップＳＴ４において、読み出した画像サイズ及び記録方向に応じたスムージング禁止範囲を設定する。この設定については、前記したとおり各種画像サイズ及び記録方向に応じて予め設定されており、その中から合致するものを選定する。
【００２９】
次いで、ステップＳＴ５において、プリンタ用ＣＯＤＥＣ１３を起動し、画像データを復号し、ステップＳＴ６において、解像度変換回路１４により画像データの解像度変換を開始する。次のステップＳＴ７においては、解像度変換に際してスムージング禁止範囲か判定し、禁止範囲であるなら、ステップＳＴ８において、解像度変換だけを行い、禁止範囲でないなら、ステップＳＴ９において、スムージングと解像度変換を行う。
【００３０】
つまり、選択回路１４ｂは、スムージング範囲制御回路１４ｃからスムージングＯＦＦを受けると、スムージング処理を施さない出力（画像データ）を選択し、スムージング範囲制御回路１４ｃからスムージングＯＮを受けると、スムージング回路１４ａによりスムージング処理を施した出力（画像データ）を選択する。
【００３１】
その後、ステップＳＴ１０において、画像データのビットイメージをページメモリ１６に展開し、ステップＳＴ１１において、１ページの解像度変換又はスムージングと解像度変換、ビットイメージの展開が終了したか判定し、まだの場合は、ステップＳＴ７に戻り、１ページ分の処理を続ける。１ページの処理が終了したら、ステップＳＴ１２において、次のページが有るか判定し、無い場合は、当該展開処理を終了する。
【００３２】
次のページが有る場合は、ステップＳＴ３に戻り、次のページ以降についても、ステップＳＴ３〜ＳＴ１１の処理を同様に繰り返す。つまり、画像データ（文書）の全ページについて、各ページ毎に画像サイズ及び記録方向の読み出し、スムージング禁止範囲の設定、解像度変換又はスムージングと解像度変換、ビットイメージの展開を行う。
【００３３】
次に、プリンタ１８へのビットイメージの転送動作について、図７のフロー図を参照して説明する。ステップＳＴ４１において、１ページ分のビットイメージがページメモリ１６に展開されているか判定し、展開されるまで待機し、展開されると、ステップＳＴ４２において、ページメモリ１６からビットイメージを読み出し、プリンタＩ／Ｆ１７に出力する。そして、ステップＳＴ４３において、転送クロックに同期して、プリンタ１８へイメージデータを転送し、ステップＳＴ４４において、１ページ分の転送が終了したか判定し、終了していないときは、ステップＳＴ４２に戻り、ビットイメージの読み出し・転送を繰り返す。１ページ分の転送が終了したら、ステップＳＴ４１に戻り、次ページ分のビットイメージがページメモリ１６に展開されているか判定し、展開されているときは、次ページの処理を同様に繰り返す。
【００３４】
次に、解像度変換回路１４の変形例に係るブロック図を図８に示す。この変形例に係る回路は、写真解像度変換処理機能を有している。写真等の疑似中間調画像データの場合には、プリンタ用ＣＯＤＥＣ１３により復号された画像データ（２値画像データ）を単純拡大回路４０により単純に拡大（整数倍）し、これをバッファメモリ４１に一旦格納する。次いで、バッファメモリ４１の２値画像データを多値化・解像度変換演算回路４２により多値化するとともに補間演算処理を行い解像度変換（小数倍）して、多値化メモリ４３に一旦格納する。通常は（スムージング処理を行う場合は）、多値化メモリ４３より読み出した多値化画像データに誤差拡散回路４４により誤差拡散処理を施して２値化する。この誤差拡散処理によりスムージングしたのと同様の視覚的効果が得られる。
【００３５】
一方、ＴＴＩの部分（図５参照）では、２値化回路４５により多値化メモリ４３からの出力を所定の閾値で２値化する。これで、スムージングしないのと同様の視覚的効果が得られる。
【００３６】
そして、上記実施形態（図３参照）と同様に、スムージング範囲制御回路４６により選択回路４７を制御し、ＴＴＩの部分では２値化回路４５の出力を選択し、原稿画像の部分では誤差拡散回路４４の出力を選択する。
【００３７】
【発明の効果】
以上説明したように、本発明の請求項１記載のファクシミリ装置によれば、画像記録手段で記録すべき画像データの所定領域、すなわち発信元表示部分については、スムージング処理が施されないので、用紙に記録された画像中で発信元表示を見易くすることができる。
【００３８】
また、請求項２記載の構成とすれば、受信したときの記録方向と画像記録手段にセットされている用紙の方向が異なっていても、発信元表示の位置に応じてスムージング禁止領域を設定することができる。
【００３９】
更に、請求項３記載の構成とすれば、スムージング禁止手段をカウンタで構成できるので、簡単な回路での実現も容易である。
【図面の簡単な説明】
【図１】実施形態に係るファクシミリ装置の構成例の一部を示すブロック図である。
【図２】同ファクシミリ装置の構成例の残部を示すブロック図である。
【図３】同ファクシミリ装置における解像度変換回路の詳細な構成例を示すブロック図である。
【図４】用紙にプリントされる発信元表示（ＴＴＩ）の各種位置を示す説明図である。
【図５】用紙におけるスムージング禁止領域（発信元表示部分）を示す説明図である。
【図６】同ファクシミリ装置において、ページメモリへのビットイメージの展開動作を示すフロー図である。
【図７】同ファクシミリ装置において、プリンタへのビットイメージの転送動作を示すフロー図である。
【図８】同ファクシミリ装置における解像度変換回路の変形例を示すブロック図である。
【符号の説明】
１　　　　　　　ＭＰＵ
２　　　　　　　ＮＣＵ（ファクシミリ受信手段）
３　　　　　　　モデム（ファクシミリ受信手段）
１１　　　　　　ＲＡＭ
１１ａ　　　　　ＦＡＴ
１２　　　　　　画像メモリ
１３　　　　　　プリンタ用ＣＯＤＥＣ
１４　　　　　　解像度変換回路（解像度変換手段）
１４ａ　　　　　スムージング回路
１４ｂ，４７　　選択回路
１４ｃ，４６　　スムージング範囲制御回路（スムージング禁止手段）
１６　　　　　　ページメモリ
１８　　　　　　プリンタ（画像記録手段）
４４　　　　　　誤差拡散回路
【図１】
2004015608.tif 000003
【図２】
2004015608.tif 000004
【図３】
2004015608.tif 000005
【図４】
2004015608.tif 000006
【図５】
2004015608.tif 000007
【図６】
2004015608.tif 000008
【図７】
2004015608.tif 000009
【図８】
2004015608.tif 000010